(57)【要約】【課題】従って、本発明の課題は、膣の粘膜をケアすることができる膣ケア調合物を提供することである。【解決手段】本発明は膣ケア調合物に関する。特に、本発明は膣剤、クリーム剤または軟膏の形の膣ケア調合物、またはタンポンを用いて直接膣に導入される膣ケア調合物、または膣の前のパンティーライナー上に付与される膣ケア調合物に関する。さらに、本発明は、相応する粘膜ケア調合物を有する尿道スティックに関する。【選択図】なし【特許請求の範囲】
【請求項１】
生存能力のあるラクトバシラス属の菌及び（又は）ビフィドバクテリウム属の菌、好ましくはラクトバシラス  ビフィダス（Lactobacillus bifidus）；生存能力のないサッカロミセス属培養物、好ましくはサッカロミセス  セレヴィシエ(Saccharomyces cerevisiae)；サッカライド；ビタミン-Ａ-レチノール及び亜鉛を含むことを特徴とする、膣ケア調合物。
【請求項２】
付加的にセレン、特にセレン含有酵母を、好ましくは０．００１〜０．０６重量％のセレンの量で含むことを特徴とする、請求項１記載の膣ケア調合物。
【請求項３】
付加的にメラレウカ  アエセロレウム(Melaleuca aetheroleum)を、好ましくは０．５〜１０重量％の量で、及び（又は）カミレ花抽出物を、好ましくは０．０１〜５重量％の量で含むことを特徴とする、請求項１又は２記載の膣ケア調合物。
【請求項４】
付加的にＤ−アルファ−トコフェロールを、好ましくは０．５〜５重量％の量で、及び（又は）パントテナートを、好ましくは０．１〜３重量％の量で含むことを特徴とする、請求項１〜３のいずれか１つに記載の膣ケア調合物。
【請求項５】
付加的に香料、好ましくは天然香料、特に好ましくはラベンダーオイルを０．５〜１０重量％の量で含むことを特徴とする、請求項１〜４のいずれか１つに記載の膣ケア調合物。
【請求項６】
ベースとして、カカオバター又は固脂−キャリヤーを含むことを特徴とする、請求項１〜５のいずれか１つに記載の膣ケア調合物。
【請求項７】
成分を下記量で含む：
−ラクトバシラス属／ビフィドバクテリウム属：調合物１ｇあたり１０7  〜１０10  個の菌数、５％、
−サッカロミセス属：０．１〜４０重量％、
−サッカライド：１〜４０重量％、
−ビタミンＡ：０．０１〜０．５重量％、
−亜鉛：０．２〜１０重量％、
ことを特徴とする、請求項１記載の膣ケア調合物。
【請求項８】
１種以上のサッカライドがオリゴフルクトース、イヌリン及び（又は）ラクトースから選ばれ、この際オリゴフルクトースが好ましい、請求項１〜７のいずれか１つに記載の膣ケア調合物。
【請求項９】
亜鉛を硫酸亜鉛及び（又は）グルコン酸亜鉛の形で使用する、請求項１〜８のいずれか１つに記載の膣ケア調合物。
【請求項１０】
ビタミンＡをレチニルアセタート及び（又は）レチニルグルコナートとして使用する、請求項１〜９のいずれか１つに記載の膣ケア調合物。
【請求項１１】
膣粘膜のケアのために及びバクテリア、真菌類及び（又は）ウイルスによる膣粘膜の感染を予防するために、請求項１〜１０のいずれか１つに記載の膣ケア調合物を使用する方法。
【請求項１２】
当該調合物を直接膣粘膜に適用する、請求項１１記載の膣ケア調合物を使用する方法。
【請求項１３】
請求項１〜１０のいずれか１つに記載の膣ケア調合物を含む、ケア用膣坐剤。
【請求項１４】
膣坐剤１個あたり３ｇの重量であって、その１グラムあたり、
＃１０7  〜１０9 、好ましくは１０8 個の菌数のラクトバシラス  ビフィダス／ｇ、５％、
＃１〜１０重量％、好ましくは２．５重量％のサッカロミセス  セレヴィシエ、
＃０．０５〜０．３重量％、好ましくは０．１重量％のビタミンＡ、
＃１〜３重量％、好ましくは１．８重量％のＤ−アルファ−トコフェロール、
＃０．４〜１．５重量％、好ましくは０．９重量％のパントテナート、
＃０．５〜５重量％、好ましくは０．８重量％の亜鉛、
＃０．００２〜０．０２重量％、好ましくは０．００５重量％のセレン、
＃１〜５重量％、好ましくは３重量％のメラレウカ  アエセロレウム、
＃１〜５重量％、好ましくは３重量％のラベンダーオイル、
＃０．２〜３重量％、好ましくは１重量％のカミレ花オイル抽出物、及び（又は）
＃２〜２０重量％、好ましくは５重量％のオリゴフルクトース
を含む、請求項１３記載のケア用膣坐剤。
【請求項１５】
カカオ脂、グリセリン−ゼラチン又はポリエチレングリコールを主体とする膣坐剤を適用する、請求項１３又は１４記載のケア用膣坐剤。
【請求項１６】
膣坐剤が、更に慣用の膣坐剤成分、特にカカオバター又は固脂を含む、請求項１３〜１５のいずれか１つに記載のケア用膣坐剤。
【請求項１７】
請求項１〜１０のいずれか１つに記載の膣ケア調合物を含む、ケア用クリーム。
【請求項１８】
＃１０7  〜１０9 、好ましくは１０8 個の菌数のラクトバシラス  ビフィダス／ｇ、５％、
＃１〜１０重量％、好ましくは２．５重量％のサッカロミセス  セレヴィシエ、
＃０．０５〜０．３重量％、好ましくは０．１重量％のビタミンＡ、
＃１〜３重量％、好ましくは１．５重量％のＤ−アルファ−トコフェロール、
＃０．４〜１．５重量％、好ましくは０．７重量％のパントテナート、
＃１〜６重量％、好ましくは３重量％の亜鉛、
＃１〜５重量％、好ましくは２重量％のメラレウカ  アエセロレウム、
＃０．０５〜３重量％、好ましくは１重量％のカミレ花抽出物、
＃２〜２０重量％、好ましくは５重量％のオリゴフルクトース、及び（又は）
＃１〜５重量％、好ましくは３重量％のラベンダーオイル、
を含む、請求項１７記載のケア用クリーム。
【請求項１９】
該クリームが、その他の慣用のクリーム成分又は軟膏成分を含み、その成分が特に次のグループ：ひまわり油、テゴムルス９０Ｓ、セチルアルコール、人工鯨ロウ、ポリソルベート８０、メチル−４−ヒドロキシベンゾエート、プロピル−４−ヒドロキシベンゾエート、ゴマオイル、羊毛脂、黄ロウ、羊毛脂アルコール、グリセリン、グリセリンエステル、パルミチン酸エステル、白色ワセリン、流動性ワックス、オリーブオイル及び（又は）蒸留水から選ばれる、請求項１７又は１８記載のケア用クリーム。
【請求項２０】
請求項１〜１０のいずれか１つに記載の膣ケア調合物を含む、ケア用膣タンポン。
【請求項２１】
タンポン１個あたり膣ケア調合物２〜４ｇ、好ましくは３ｇを含み、当該調合物１ｇあたり、
＃１０7  〜１０9 、好ましくは１０8 個の菌数のラクトバシラス  ビフィダス／ｇ、５％、
＃１〜１０重量％、好ましくは２．５重量％のサッカロミセス  セレヴィシエ、
＃０．０５〜０．３重量％、好ましくは０．１重量％のレチノール−アセタート、
＃１〜３重量％、好ましくは１．５重量％のＤ−アルファ−トコフェロール、
＃１〜６重量％、好ましくは０．８重量％の亜鉛、
＃１〜５重量％、好ましくは２重量％のメラレウカ  アエセロレウム、
及び（又は）
＃２〜２０重量％、好ましくは３重量％のオリゴフルクトース
を含む、請求項２０記載のケア用膣タンポン。
【請求項２２】
体液を導く外層及び内層、好ましくは膨潤性貯蔵層を含む、請求項２０又は２１記載のケア用膣タンポン。
【請求項２３】
当該膣ケア調合物をタンポンの表面層上にスプレー処理又は浸漬処理によって付与するか又は場合によりタンポン全体に浸透させる、請求項２０〜２２のいずれか１つに記載のケア用膣タンポン。
【請求項２４】
当該膣ケア調合物が、タンポンの外部被覆層のすぐ下にある層中にのみ含まれる、請求項２〜２３のいずれか１つに記載のケア用膣タンポン。
【請求項２５】
当該膣ケア調合物が水分によって活性化される、請求項２０〜２４のいずれか１つに記載のケア用膣タンポン。
【請求項２６】
請求項１〜１０のいずれか１つに記載の膣ケア調合物を含む、ケア用パンティーライナー。
【請求項２７】
ケア用パンティーライナー１個あたり膣ケア調合物２〜５ｇ、好ましくは３ｇを含み、その際当該調合物１ｇあたり、
＃１０7  〜１０9 、好ましくは１０8 個の菌数のラクトバシラス  ビフィダス／ｇ、５％、
＃１〜１０重量％、好ましくは２．５重量％のサッカロミセス  セレヴィシエ、
＃０．０５〜０．３重量％、好ましくは０．１重量％のレチノール−アセタート、
＃１〜３重量％、好ましくは１．５重量％のＤ−アルファ−トコフェロール、
＃１〜６重量％、好ましくは３重量％の亜鉛、及び（又は）
＃２〜２０重量％、好ましくは３重量％のオリゴフルクトース
を含む、請求項２６記載のケア用パンティーライナー。
【請求項２８】
更に、パンティーライナーにとって通常の構成要素、特に被覆層、体液を導く層、貯蔵層及び裏面層からなる、請求項２６又は２７記載のケア用パンティーライナー。
【請求項２９】
当該膣ケア調合物を１つの上層にスプレー処理によって付与するか又はその他の層１つ以上が上記調合物を含む、請求項２６〜２８のいずれか１つに記載のケア用パンティーライナー。
【請求項３０】
当該膣ケア調合物が、パンティーライナーの被覆層のすぐ下にある層中に主に含まれる、請求項２６〜２９のいずれか１つに記載のケア用パンティーライナー。
【請求項３１】
当該膣ケア調合物が水分によって活性化される、請求項２６〜３０のいずれか１つに記載のケア用パンティーライナー。
【発明の詳細な説明】
【技術分野】
【０００１】
本発明は膣ケア調合物に関する。特に、本発明は、膣剤、クリーム剤または軟膏の形態であるか、またはタンポンを用いて膣に直接適用されるか又は膣の前にあてがうパンティーライナーに適用される膣ケア調合物に関する。
【背景技術】
【０００２】
粘膜は極めて敏感になりやすいことは以前から公知である。膣粘膜は、この場合に特に刺激に対してまたは炎症に対しても敏感である。このような体質の女性は、例えばプールまたは海に入った後に、性交渉の後に、膣粘膜の領域内で刺激、痛みを伴う変化またはさらに炎症を起こす。同様にホルモン転換期、例えばピル（「経口避妊ピル」）の服用の間、妊娠中、授乳期または閉経期の間でも、膣粘膜は刺激性に反応することがある。同様に、例えば全身的な抗生物質治療の場合にも、粘膜、特に膣粘膜の刺激が生じる。さらに、膣菌群落による刺激性の要因は、膣からのおりものの増加として観察され、このおりものは腹腔から由来し、かつ非生理的な組成の分泌物により膣内常在菌の生息の通常の平衡を損なう。
【０００３】
これらのことが起因となる膣粘膜の刺激は痛みを伴うだけではなく、炎症をさらに進行させてしまい、この炎症は女性の他の器官または全身にまでおよびかねない。実際には、数十億の女性が毎年この種の刺激に見舞われ、この種の刺激は生活感を明らかに損ないかねない。
【０００４】
なぜ刺激および同様に炎症性の反応が生じることがあるのかを説明できる理論は生物膜の形成が挙げられる。このような生物膜は病原菌の発生および生息に関与し、および／またはこの病原菌を支援するような影響を及ぼすかまたは抑制することもできる。このような病理学的な生物膜の発生を抑制することはつまりは望ましい。生理学的粘膜−ケア膜の構築は、本願発明の目的である。
【０００５】
従って、この粘膜は環境条件により良好に耐えることができかつ病原性の生物膜が発生することができない環境を提供するようにケアするのが好ましい。このようなケアは、例えば身体の外側の皮膚に対しては周知のように以前から十分に、ケアオイルまたはクリームを使用することにより行われ、特に皮膚に特別な負荷がかけられた後で、例えば日光浴の後またはシャワー後またはプールの後に行われる。
【０００６】
プールに訪れた場合に感染から保護するために、既にこのような感染を予防するタンポンが存在する。この「Ｓｙｍｂｉｏｆｅｍ」タンポン（例えばウェブサイトではｗｗｗ．ｓｙｍｂｉｏｆｅｍ．ｃｏｍで見ることができる）はワセリンオイルで含浸されている。もちろん、このタンポンは単にただ機械的な遮断層を提供するだけであり、この層は膣粘膜のケアには寄与しない。反対に、高濃度のワセリンオイルとの接触が粘膜環境に有益であるかどうかは疑問である。さらに、このワセリンオイルがタンポンに必要な拡張を妨げることになり、その結果、使用者の体型に的確に適合することはほとんどできず、最終的には水を通過させてしまうことになる。
【０００７】
従って、膣粘膜をケアしかつ保護することができるような、膣粘膜用の保護製品を提供することが望ましい。
【発明の開示】
【発明が解決しようとする課題】
【０００８】
従って、本発明の課題は、膣の粘膜を保護することができる膣ケア調合物を提供することである。
【課題を解決するための手段】
【０００９】
上記課題は、独立請求項に記載された発明により解決される。好ましい実施態様は、従属請求項に記載されている。
【発明を実施するための最良の形態】
【００１０】
従って、本発明によれば、生存能力のあるラクトバシラス及び（又は）ビフィドバクテリウム菌、好ましくはラクトバシラス  ビフィダス（Lactobacillus bifidus）；生存能力のないサッカロミセス属培養物、好ましくはサッカロミセス  セレヴィシエ(Saccharomyces cerevisiae)；サッカライド；ビタミン-Ａ-レチノール及び亜鉛を含むことを特徴とする、膣ケア調合物が挙げられる。
【００１１】
ラクトバシラス属は好ましくは使用される微生物である。このラクトバシラス属は、好ましくはＬａｃｔｏｂａｃｉｌｌｕｓ  ｂｉｆｉｄｕｓ、Ｌａｃｔｏｂａｃｉｌｌｕｓ  ｒｈａｍｎｏｓｕｓ、Ｌａｃｔｏｂａｃｉｌｌｕｓ  ａｃｉｄｏｐｈｉｌｕｓ、Ｌａｃｔｏｂａｃｉｌｌｕｓ  ｃｒｉｓｐａｔｕｓ、Ｌａｃｔｏｂａｃｉｌｌｕｓ  ｆｅｒｍｅｎｔｕｍ、Ｌａｃｔｏｂａｃｉｌｌｕｓ  ｐｌａｎｔａｒｕｍ、Ｌａｃｔｏｂａｃｉｌｌｕｓ  ｃａｓｅｉ、Ｌａｃｔｏｂａｃｉｌｌｕｓ  ｐａｒａｃａｓｅｉ、Ｌａｃｔｏｂａｃｉｌｌｕｓ  ｊｅｎｓｅｎｉｉ、Ｌａｃｔｏｂａｃｉｌｌｕｓ  ｇａｓｓｅｒｉ、Ｌａｃｔｏｂａｃｉｌｌｕｓ  ｃｅｌｌｏｂｉｏｓｉｓ、Ｌａｃｔｏｂａｃｉｌｌｕｓ  ｂｒｅｖｉｓ、Ｌａｃｔｏｂａｃｉｌｌｕｓ  ｄｅｌｂｒｕｅｃｋｉｉ、Ｌａｃｔｏｂａｃｉｌｌｕｓ  ｒｏｇｏｓａｅおよびＬａｃｔｏｂａｃｉｌｌｕｓ  ｂｉｆｉｄｕｍからなるグループから選択することができる。
【００１２】
さらに、ビフィドバクテリウム属も、単独でまたは上記のラクトバシラス属と混合した形で使用することができる。このビフィドバクテリウム属は、好ましくはＢｉｆｉｄｏｂａｋｔｅｒｉｕｍ  ｂｉｆｉｄｕｍ、Ｂｉｆｉｄｏｂａｋｔｅｒｉｕｍ  ｂｒｅｖｅ、Ｂｉｆｉｄｏｂａｋｔｅｒｉｕｍ  ａｄｏｌｅｓｃｅｎｔｉｓまたはＢｉｆｉｄｏｂａｋｔｅｒｉｕｍ  ｌｏｎｇｕｍから選択される。
【００１３】
上記の種は単独でまたは２種またはそれ以上の種の混合形で使用することができる。これらの微生物は調合物中に凍結乾燥した形または熱乾燥した形で含まれているのが好ましい。いずれの場合でも、これらの微生物は調合物中で生存能力のある状態で含まれていなければならず、この生存能力のある状態の微生物は、（例えば膣環境に由来する）水分との接触で生長および増殖することができる。
【００１４】
好ましいサッカロミセス属の種類は、サッカロミセス  セレヴィシエである。この菌は培地として、例えば乾燥された形で調合物中に含まれる。このサッカロミセス属培養物は、ラクトバシラス属もしくはビフィドバクテリウム属との競合を生じさせないために、生存能力のある形であってはならない；このサッカロミセス属培養物はラクトバシラス属／ビフィドバクテリウム属の生長のための出発材料としておよびこれらがさらに増殖するための培地として用いられる。
【００１５】
この膣ケア調合物は、付加的にセレン、特にセレン含有酵母を、好ましくは０．００１〜０．０６重量％のセレンの量で含むことを特徴とする。このセレンは細胞保護特性を有する抗酸化性の微量元素であり、ラクトバシラス属およびビフィドバクテリウム属の生長を特に促進し、従って膣内でのこれらの菌の生長が他の菌の生長と比較して支援される。
【００１６】
この膣保護調合物は、さらに好ましくは、付加的にメラレウカ  アエセロレウムを、好ましくは０．５〜１０重量％の量で、および／またはカミレ花の抽出物を、好ましくは０．０１〜５重量％の量で含むことを特徴とする。この両方の物質は、炎症を和らげかつケアする特性により膣の粘膜のケアを支援する。
【００１７】
この膣ケア調合物は、さらに、特に好ましい実施態様の場合には、付加的にＤ−アルファ−トコフェロールを、０．５〜５重量％の量で、および／またはパントテナートを、好ましくは０．１〜３重量％の量で含むことを特徴とする。このトコフェロールは、好ましい実施態様の場合には、調合物に添加されたオイルの酸化防止剤として並びに皮膚および粘膜用の細胞保護剤として利用される。パントテナートはビタミンであり、これもラクトバシラス属および／またはビフィドバクテリウム属の生長を他の菌の生長と比較して支援し、かつそのビタミン特性により特に膣粘膜のケアに寄与する。
【００１８】
さらに好ましい実施態様の場合には、この膣ケア調合物は、付加的に香料、好ましくは天然香料、特に好ましくはラベンダーオイルを０．５〜１０重量％の量で含む。この香料は、例えばこの膣ケア調合物を多くの使用者に快適に受け入れてもらうために含有される。
【００１９】
ベースとしてこの膣ケア調合物は例えばカカオバターまたは硬質オイル脂−キャリヤーを有することができる。この種のキャリヤーは当業者に公知である。この種のキャリヤーは膣の領域において良好な許容性であることを特徴とし、膣の領域において刺激または場合により生じるアレルギー反応を生じさせない。
【００２０】
次に、成分を次に記載する量で含む例示的な膣ケア調合物を記載する（以後、重量％は常に全調合物に対するものである）：
−  ラクトバシラス属／ビフィドバクテリウム属：１０７〜１０10個の菌／ｇ、調合物の３〜５％
−  サッカロミセス属：０．１〜４０重量％
−  糖（類）：１〜４０重量％
−  ビタミンＡ：０．０１〜０．５重量％
−  亜鉛：０．２〜１０重量％。
【００２１】
好ましくは、この膣ケア調合物のための糖は、オリゴフルクトース、イヌリンおよび／またはラクトースから選択され、その際に、オリゴフルクトースが有利である。前記した糖類の２種または数種からなる混合物を使用することもできる。この糖類は特にラクトバシラス属およびビフィドバクテリウム属の生長のための出発材料として利用される。これらの菌はこの糖類を利用し、それにより他の菌よりも優れた生長を示す。
【００２２】
この膣ケア調合物は、亜鉛が硫酸亜鉛および／またはグルコン酸亜鉛の形で使用されるように調製することができる。さらに、この膣ケア調合物は、ビタミン−Ａをレチニルアセタートおよび／またはレチニルグルコナートとして使用された調製物を有することができる。この亜鉛もしくはビタミンの混合物の形態は当業者に公知である。膣粘膜のためのケア剤としてのこの調合物の機能が損なわれることがない限り、ビタミンＡもしくは亜鉛の他の形態を選択することができる。
【００２３】
この調合物は、ケア用調合物の機能が損なわれることがない限り、種類に応じて他の常用の成分を含むことができる。この常用の成分は、例えば結合剤、賦形剤、溶剤、安定剤、滑剤、崩壊剤、およびキャリヤー、例えば固体または液体のキャリヤーから選択することができる。
【００２４】
本発明の主要な実施態様の場合には、この上記に定義された膣ケア調合物は膣粘膜のケアのためおよび／または細菌、真菌類および／またはウイルスによる膣粘膜の感染の予防のために使用される。この特別な調合物は、膣粘膜に不利な影響を与えないかまたは膣粘膜を損なうことなしに、膣粘膜をケアすることが可能である。このケアは定期的に行うことができるかまたは必要に応じて、例えばホルモン転換期、例えば妊娠中、授乳期、閉経期においてまたは閉経後において行うことができる。この粘膜を、特に適切にケアする、例えば公的な遊泳地、例えば湖またはプールに訪れる前および／または後でケアすることが可能である。
【００２５】
この場合に、この膣ケア調合物は好ましくは膣粘膜に直接適用される。この直接的な適用は、例えばこの調合物を膣剤またはクリーム剤もしくは軟膏として膣内へ導入し、かつその導入によりその粘膜と直接接触させることによって行うことができる。さらに、この調合物は膣内に挿入されるタンポン内に含まれていて、かつその挿入によりこの調合物は膣粘膜と接触することができる。最後に、この調合物はさらに好ましい実施態様の場合に、パンティーライナー中に含まれている。この調合物は、その都度、水分、例えば通常の膣の周辺の水分によって活性化される。この文脈において「活性化」とは含まれるラクトバシラス属もしくはビフィドバクテリウム属が生長しかつ増殖し始めることを意味する。
【００２６】
従って、本発明は、特に好ましい実施態様の場合には、上記に定義された膣ケア調合物を有するケア用膣剤に関する。好ましくは、このメラレウカ  アエセロレウムケア用膣剤は、膣剤１つあたり２〜５ｇ、好ましくは３ｇの重量を有し、１グラムあたり次の成分を有する：
＃１０7〜１０9、好ましくは１０８個の菌／ｇの５％のラクトバシラス  ビフィダス、
＃１〜１０、好ましくは２．５重量％のサッカロミセス  セレヴィシエ、
＃０．０５〜０．３、好ましくは０．１重量％のビタミンＡ、
＃１〜３、好ましくは１．８重量％のＤ−アルファ−トコフェロール、
＃０．４〜１．５、好ましくは０．９重量％のパントテナート、
＃０．５〜５、好ましくは０．８重量％の亜鉛、
＃０．００２〜０．０２、好ましくは０．００５重量％のセレン、
＃１〜５、好ましくは３重量％のメラレウカ  アエセロレウム、
＃１〜５、好ましくは３重量％のラベンダーオイル、
＃０．２〜３、好ましくは１重量％のカミレ花抽出物および／または
＃２〜２０、好ましくは５重量％のオリゴフルクトース。
【００２７】
次に、膣剤の好ましい調合物を、それぞれの組み合わせ作用の記載と共に表中にまとめる：
表１：
固脂を含む膣用−膣剤３ｇ用の処方
【００２８】
【表１】
2005139176.tif 000002
この場合に、「膣剤」の概念は、本発明の範囲内で、この概念の下で当業者に公知の固形の形状、例えば膣内へ挿入するための膣坐剤、発泡錠剤またはデポーインプラントが含まれる。好ましくは、膣剤は、通常のベース、例えばＷｉｔｅｐｓｏｌ、Ｍａｓｓａ  Ｅｓｔａｒｉｎｕｍ、ココナッツ脂肪、グリセリン−ゼラチン−ペースト、グリセリン−セッケンまたはポリエチレングリコールを有する。
【００２９】
他の好ましい実施態様の場合に、本発明は、上記に定義されたような膣ケア調合物を有するケアクリーム剤に関する。好ましくはこのケアクリーム剤は
＃  １０7〜１０9、好ましくは１０8個の菌／ｇのラクトバシラス  ビフィダス、５％、
＃  １〜１０、好ましくは２．５重量％のサッカロミセス  セレヴィシエ、
＃  ０．０５〜０．３重量％、好ましくは０．１重量％のビタミンＡ、
＃  １〜３重量％、好ましくは１．５重量％のＤ−アルファ−トコフェロール、
＃  ０．４〜１．５重量％、好ましくは０．７重量％のパントテナート、
＃  １〜６重量％、好ましくは３重量％の亜鉛、
＃  １〜５重量％、好ましくは２重量％のメラレウカ  アエセロレウム、
＃  ０．０５〜３重量％、好ましくは１重量％のカミレ花抽出物、
＃  ２〜２０、好ましくは５重量％のオリゴフルクトース、
＃  および／または１〜５重量％、好ましくは３重量％のラベンダーオイル。
【００３０】
他の好ましい形状の場合には、このケアクリームは他の慣用のクリーム成分または軟膏成分、特に次のグループから選択される成分を有する：ひまわり油、テゴムルス（Tegomuls）90S、セチルアルコール、人工鯨ロウ、ポリソルベート８０、メチル−４−ヒドロキシベンゾエート、プロピル−４−ヒドロキシベンゾエート、ゴマオイル、羊毛脂、黄ロウ、羊毛脂アルコール、グリセリン、グリセリンエステル、パルミチン酸エステル、白色ワセリン、流動性ワックス、オリーブオイル及び（又は）蒸留水。
【００３１】
本発明の範囲内で、「クリーム剤」の概念は、クリーム、軟膏、並びにエマルション、ゼラチンから遊離された液状の調合物を含む。
【００３２】
特に好ましい軟膏基剤は次に挙げるものである：
蒸留水中のひまわり油、テゴムルス90S、セチルアルコール、人工鯨ロウ、ポリソルベート８０、メチル−４−ヒドロキシベンゾエートおよびプロピル−４−ヒドロキシベンゾエート、またはゴマオイル、羊毛脂、黄ロウ、羊毛脂アルコール、またはグリセリン、グリセリンエステル、パルミチン酸エステル、白色ワセリン、流動性ワックス、または黄ロウ、オリーブオイル。
【００３３】
本発明は、他の特に好ましい実施態様の場合には、上記に定義されたような膣ケア調合物を有するケア用の膣用タンポンに関する。特に好ましくは、このケア用の膣用タンポンは次の成分を有する（タンポンあたり膣ケア調合物２〜５、好ましくは３ｇを有する）（調合物１グラム当たり）：
＃  １０7〜１０9、好ましくは１０8個の菌／ｇのラクトバシラス  ビフィダス、５％
＃  １〜１０、好ましくは２．５重量％のサッカロミセス  セレヴィシエ、
＃  ０．０５〜０．３、好ましくは０．１重量％のレチノール−アセテート、
＃  １〜３、好ましくは１．５重量％のＤ−アルファ−トコフェロール、
＃  １〜６、好ましくは０．８重量％の亜鉛、
＃  １〜５、好ましくは２重量％のメラレウカ  アエセロレウム、および／または
＃  ２〜２０、好ましくは３重量％のオリゴフルクトース。
【００３４】
この調合物が膣粘膜にできる限り簡単でかつ迅速に到達できるために、このケア用の膣用タンポンはこの膣ケア調合物をタンポンの表面層に含むのが好ましく、その際にこの調合物は例えばスプレー処理または浸漬処理により付与される。場合によっては、この調合物は全体のタンポンに浸透されていてもよい。この膣ケア調合物は、特に好ましい実施態様の場合には、もっぱらタンポンの外部被覆層のすぐ下の層中に含まれていてもよい。
【００３５】
本発明のこの膣ケア調合物は当業者に公知にタンポン上に付与されていてもよいか、またはタンポンに浸透されていてもよい。例えば、このタンポンは、外側、つまり使用者の身体に向かう側に溝または凹所を備えた、それ自体ねじれた形からなり、この溝または凹所はタンポンの内部へ体液を導きやすくする。このタンポンは、さらに好ましくは外側の体液を案内する層と内側の液体貯蔵層とを有する。さらに、このタンポンは、好ましくは液体により膨潤する材料を含有し、それによりこのタンポンはそれぞれの使用者の体型に適合することができる。例えばこのタンポンはセルロースを有する被覆層を有することができ、この被覆層は水分と接触すると膨潤し、短時間にゲルを形成し、このゲルが挿入を容易にする。この種のタンポンは当業者に公知である。
【００３６】
特に好ましい実施態様の場合には、本発明による膣ケア調合物をタンポンの外側に置かれた層中に含有しているが、本発明はこれに限定されるものではない。
【００３７】
他の好ましい実施態様の場合には、本発明は、上記に定義されているような膣ケア調合物を有するケア用のパンティーライナーに関する。このケア用のパンティーライナーは、パンティーライナー１つ当たり膣ケア調合物２〜４ｇ、好ましくは３ｇを有し、この調合物１ｇ中に次の組成を有する：
＃  １０7〜１０9、好ましくは１０8個の菌／ｇのラクトバシラス  ビフィダス、５％
＃  １〜１０、好ましくは２．５重量％のサッカロミセス  セレヴィシエ、
＃  ０．０５〜０．３、好ましくは０．１重量％のレチノール−アセテート
＃  １〜３、好ましくは１．５重量％のＤ−アルファ−トコフェロール、
＃  １〜６、好ましくは３重量％の亜鉛、および／または
＃  ２〜２０、好ましくは３重量％のオリゴフルクトース。
【００３８】
このケア用のパンティーライナーは、その上層に膣ケア調合物を含むことができ、好ましくはスプレー処理により付与されている。このケア用のパンティーライナーは膣ケア調合物をもっぱらパンティーライナーの被覆層のすぐ下の層中に含有されるように構成されていることもできる。
【００３９】
この膣ケア調合物を、当業者に公知の全てのパンティーライナー上に付与／適用することができる。例えば、このパンティーライナーは水分浸透性被覆層、その下にある水分を導く層、この水分を導く層の下にある水分貯蔵層、および体液不浸透性裏面層からなることができる。この被覆層は、例えば複数の孔を有し、この孔は水分の誘導を容易にし、かつ通気を改善することができる。さらに、パンティーライナーの外観を改善するマスキング物質を含有していてもよい。特に好ましくは、本発明の膣ケア調合物は、この被覆層の下側の層内に含まれるが、本発明はこれに限定されるものではない。
【００４０】
他の実施態様の場合には、本発明のケア調合物は、男性用のパートナーケアの場合の尿道粘膜ケア用の尿道スティックとしても使用することができる。このケア用調合物はこの実施態様の場合には、固脂からなる尿道スティック中に埋め込むことができる。このスティックは１０〜３０ｃｍ、好ましくは２５ｃｍの長さを有し、かつ２．５〜７ｍｍ、好ましくは４．５ｍｍの直径を有するのが好ましい。このスティックは所定破断箇所により分割可能であり、この所定破断箇所は約５ｃｍの間隔で配置されている。
【００４１】
この尿道スティックの好ましい調合物は、出発物としてサッカロミセス  セレヴィシエおよびオリゴフルクトースを有するラクトバシラス  ビフィダス−菌からなる。さらに、この調合物はビタミンＡ、アルファ−トコフェロール、パントテナート、亜鉛、セレン、メラレウカ  アエセロレウムおよび香料を含むのが好ましい。好ましくはこの尿道スティックは１グラムあたり次の組成を有する：
＃  １０7〜１０9、好ましくは１０8個の菌のラクトバシラス  ビフィダス、
＃  １〜１０、好ましくは２．５重量％のサッカロミセス  セレヴィシエ、
＃  ０．０５〜０．３、好ましくは０．１重量％のレチノール−アセテート、
＃  １〜３、好ましくは１．５重量％のＤ−アルファ−トコフェロール、
＃  １〜６、好ましくは３重量％の亜鉛、および／または
＃  ２〜２０、好ましくは３重量％のオリゴフルクトース。
【００４２】
本発明による膣ケア調合物の用量は、当業者に公知の要因に依存し；通常では、この粘膜は１日に１〜３回、前記の調合物３ｇまででケアされるのが好ましく；また特別な負荷、水泳または性交の直前または直後にケアされるのが好ましい。長期間のケアは例えば１サイクル当たり６回の膣剤を用いて実施することができる。
【実施例】
【００４３】
１．  軟膏
Ａ．  製造、調合物
次の組成を有する軟膏を製造した：
−  １０8個／ｇの菌のラクトバシラス  ビフィダス（／ｇ）、  本発明の調合物の１０％
−  ２．５重量％のサッカロミセス  セレヴィシエ、培地として
−  ０．１重量％のレチニルアセテート
−  １．８重量％のＤ−アルファ−トコフェロール
−  ０．９重量％のパントテナート
−  ０．８重量％の亜鉛
−  ０．００５重量％のセレン（セレン含有酵母として）
−  ３重量％のメラレウカ  アエセロレウム
−  １重量％のカミレ花抽出物
−  ３重量％ラベンダーオイル
−  ５重量％のオリゴフルクトース
を当業者に公知の、軟膏の製造方法により、黄ロウおよびオリーブオイルからなる混合物中で混合した。
【００４４】
Ｂ．  適用
５年前から夏毎に数回の膣真菌症を患っている女性（２５才、ピル摂取）が、上記の軟膏を次の処方に従って使用した：
毎晩１回、この軟膏３ｇずつ膣粘膜に適用した。このケアを５月に開始した。この夏の期間中には真菌症を発症しなかった。
【００４５】
２．  膣剤
Ａ．  製造、組成
各膣剤を３ｇ秤量し、当業者に公知の、膣剤の製造方法に従って次の混合物から製造した：
−  １０8個の菌のラクトバシラス  ビフィダス／ｇ、本発明の調合物の５％
−  ２．５重量％のサッカロミセス  セレヴィシエ、培地として
−  ０．１重量％のレチニルアセテート
−  １．５重量％のＤ−アルファ−トコフェロール
−  ０．７重量％のパントテナート
−  ０．８重量％の亜鉛
−  ０．００５重量％のセレン（セレン含有酵母として）
−  ２重量％のメラレウカ  アエセロレウム
−  １重量％のカミレ花抽出物
−  ３重量％のラベンダーオイル
−  ３重量％のオリゴフルクトース。
【００４６】
この配合物を、３４．５℃の融点を有する固脂に混入させた。
【００４７】
Ｂ．  適用
約３〜５年前から毎年膣真菌症を患っている女性（４３才）が、上記の膣剤を次の処方に従って１月に使用し始めた：
毎晩１回、膣剤１個を挿入した。
【００４８】
それにより、その女性はその年の残りは膣−感染症を患わなかった。
【００４９】
上記の実施例および発明の詳細な説明は、本発明をより詳細に説明するが、請求項に定義された本発明の範囲を制限するようなことはない。